(57)【要約】      （修正有）【課題】フレッティングコロージョンの問題を削減し、外力からの衝撃を低減する簡易および低コスト構造を有した電気リセプタクル端子を提供する。【解決手段】雄端子と電気的に接続される接触部１００と、電気ケーブルと電気的に接続される接続部２００と、を含む電気リセプタクル端子であって、底面壁１０１、右側壁１０２、左側壁１０３および上面壁１０４を備えるハウジングと、前記ハウジング内に配置され、停止部材を通じて前記ハウジングの前記上面壁１０４に接続される弾性接触部材１１０を含む電気リセプタクル端子を開示する。弾性接触部材１１０は、停止部材を通じてハウジングの上面壁１０４で停止する。弾性接触部材１１０自体に接続された停止部材がある程度のフレキシブル性を示すので、弾性接触部材１１０と弾性接触部材１１０に挿入された雄端子は、停止部材に沿って前後方向に僅かに動くことができる。【選択図】図３
0003181128.tif 000002
【実用新案登録請求の範囲】
【請求項１】
雄端子と電気的に接続されるように構成される接触部（１００）と、
電気ケーブルと電気的に接続されるように構成される接続部（２００）と、を含む電気リセプタクル端子であって、
底面壁（１０１）、右側壁（１０２）、左側壁（１０３）および上面壁（１０４）を備えるハウジングと、
前記ハウジング内に配置され、停止部材（１２０）を通じて前記ハウジングの前記上面壁に接続される弾性接触部材（１１０）を含む電気リセプタクル端子。
【請求項２】
前記ハウジングの断面は、正方形、直方形または円形である請求項１記載の電気リセプタクル端子。
【請求項３】
前記弾性接触部材は、左側半部弾性部（１１２）と右側半部弾性部（１１１）を含む請求項１記載の電気リセプタクル端子。
【請求項４】
前記停止部材は、前記左側半部弾性部と前記右側半部弾性部の基部の一方と接続される請求項３記載の電気リセプタクル端子。
【請求項５】
前記左側壁は、左側壁開口（１０７）と前記左側壁開口内に配置された左側補助弾性部（１０５）を備え、
前記左側補助弾性部の一端は、前記左側壁開口の側面縁に接続され、
前記左側補助弾性部の他端は、前記ハウジング内において内側に曲げられており、かつ、前記弾性接触部材における前記左側半部弾性部の外壁に弾性的に突き当てられ、
前記右側壁は、右側壁開口（１０８）と前記右側壁開口内に配置された右側補助弾性部（１０６）を備え、
前記右側補助弾性部の一端は、前記右側壁開口の側面縁に接続され、
前記右側補助弾性部の他端は、前記ハウジング内において内側に曲げられており、かつ、前記弾性接触部材における前記右側半部弾性部の外壁に弾性的に突き当てられる請求項４記載の電気リセプタクル端子。
【請求項６】
前記接続部は、
前記電気ケーブルの被覆を内側に圧着可能とするために、両側面に備えられた複数の第一横翼部を備える第一Ｕ字状接続部（２０１）と、
前記第一Ｕ字状接続部から延伸した一端と、前記接続部における前記ハウジングまで延伸した他端を有する第二Ｕ字状接続部（２０２）と、
前記第二Ｕ字状接続部は、前記電気ケーブルのストリップ部を内側に圧着可能とするために、両側面に備えられ、圧着を可能とする複数の第二横翼部を備える請求項１記載の電気リセプタクル端子。
【請求項７】
前記上面壁は、右側半分上面壁部（１０４ａ）と左側半分上面壁部（１０４ｂ）を含み、
前記上面壁を形成するように、前記右側半分上面壁部と前記左側半分上面壁部は互いに連結される請求項１記載の電気リセプタクル端子。
【請求項８】
前記電気リセプタクル端子は、プレス成形によって単一の金属シートを折り曲げることで形成される請求項１から７のいずれか１項記載の電気リセプタクル端子。
【請求項９】
前記電気リセプタクル端子が折り曲げられない際には、前記弾性接触部材における前記左側半部弾性部と前記右側半部弾性部が前記金属シートにおける同じ側に備えられる請求項８記載の電気リセプタクル端子。
【考案の詳細な説明】
【技術分野】
【０００１】  本発明は、電気接続の分野に関し、特に、電気リセプタクル端子に関する。
【背景技術】
【０００２】  既存の電気リセプタクル端子は、一般的に接触部および接続部を含むことが知られている。接続部２００は、スプライシングによって電気ケーブルと電気的に接続される。接触部は、弾性接触部材を通じて挿入された雄端子と電気的に接続される。通常、既存の電気リセプタクル端子は、一体化された設計を採用している。電気リセプタクル端子は、一般的に弾性接触部材に堅牢に接続される。電気ケーブルが電気リセプタクル端子内へ一旦挿入されると、電気リセプタクル端子は、大きな部分を有し、電気ケーブルによって保持される。結果として、電気リセプタクル端子は、容易に前方移動および後方移動ができない。ゆえに、電気リセプタクル端子が、強い振動する状況（例えば、乗り物の内部）において一旦使用されると、弾性接触部材内へ挿入される雄端子が電気リセプタクル端子に対して僅かに移動してしまう可能性が高い。この僅かな移動が起こる長い期間が終わった後、電気リセプタクル端子の表面（通常錫コーティングされているが）は、非導電性酸化層の形成に支障を生じ、電気リセプタクル端子の電気的接続できなくなってしまう。この現象は、フレッティングコロージョンと呼ばれている。【０００３】  図１および図２に示されるように、フレッティングコロージョンを効果的に克服する目的において、米国特許第５６１１７１７号は、小型のフレッティングコロージョン対抗リセプタクル端子を開示する。このリセプタクル端子は、接続部８、接触部１４、接続部８と接触部１４との間に配置されたばね部１２を含む。ばね部１２は、複数の側面壁にそれぞれ配置された２対のＵ字状弾性部２２，２４を含む。各弾性部２２，２４は、それぞれ一対の弾性梁２６，２７および弾性梁２８，２９を含む。弾性梁２６，２７および弾性梁２８，２９の各対の上部は、それぞれＵ字状橋部３０，３２によって接続される。【０００４】  図１および図２に示されるように、米国特許第５６１１７１７号に開示された小型のフレッティングコロージョン対抗リセプタクル端子において、リセプタクル端子の全部分をかなりフレキシブルにするように、ばね部１２は、リセプタクル端子における接続部８と接触部１４との間に備えられる。それゆえ、このリセプタクル端子自体は、挿入された電気ケーブルによる制限を受けず、前方および後方に移動可能である。それゆえに、このリセプタクル端子が強い振動する状況（例えば、乗り物の内部）において用いられる際には、電気リセプタクル端子に対して弾性接触部材５０内へ挿入された雄端子の僅かな動きがなく、代わりに、電気リセプタクル端子のばね部１２と共に移動することで、フレッティングコロージョンの問題を効果的に削減できる。
【考案の概要】
【考案が解決しようとする課題】
【０００５】  しかしながら、米国特許第５６１１７１７号の開示によれば、ばね部は、リセプタクル端子の接続部と接触部との間に備えられる。リセプタクル端子は、多くの材料を必要とし、より複雑な構造を有する。ゆえに、比較的にコスト高くなる。さらに、このリセプタクル端子における接続端子とばね部が環境に晒され、容易に損傷する場合や、折れてしまうことさえあり得る。【０００６】  上述の問題を少なくとも１つ解決または軽減するために、新規の電気リセプタクル端子には、フレッティングコロージョンの問題を削減し、外力からの衝撃を低減する簡易および低コスト構造が必要とされる。
【課題を解決するための手段】
【０００７】  よって、本発明おける少なくとも１つの態様は、雄端子と電気的に接続されるように構成される接触部と、電気ケーブルと電気的に接続されるように構成される接続部を含む電気リセプタクル端子を提供することである。接触部は、底面壁、右側壁、左側壁および上面壁を備えるハウジングと、前記ハウジング内に配置され、停止部材を通じて前記ハウジングの前記上面壁に接続される弾性接触部材を含む。【０００８】  本発明の好適な実施形態において、前記ハウジングの断面は正方形、直方形および円形のいずれか１つである。本発明はこの断面に限られないことに留意するべきである。あるいは、前記ハウジングは、様々な類似した構造の断面であってもよい。【０００９】  本発明の別の好適な実施形態において、前記弾性接触部材は、左側半部弾性部と右側半部弾性部を含む。【００１０】  本発明のさらに別の好適な実施形態において、前記停止部材は、前記左側半部弾性部と前記右側半部弾性部の基部の一方と接続される。【００１１】  本発明のさらに別の好適な実施形態において、前記左側壁は、左側壁開口と前記左側壁開口内に配置された左側補助弾性部を備え、
前記左側補助弾性部の一端は、前記左側壁開口の側面縁に接続され、
前記左側補助弾性部の他端は、前記ハウジング内において内側に曲げられており、かつ、前記弾性接触部材における前記左側半部弾性部の外壁に弾性的に突き当てられ、
前記右側壁は、右側壁開口と前記右側壁開口内に配置された右側補助弾性部を備え、
前記右側補助弾性部の一端は、前記右側壁開口の側面縁に接続され、
前記右側補助弾性部の他端は、前記ハウジング内において内側に曲げられており、かつ、前記弾性接触部材における前記右側半部弾性部の外壁に弾性的に突き当てられる。【００１２】  本発明のさらに別の好適な実施形態において、前記接続部は、
前記電気ケーブルの被覆を内側に圧着可能とするために、両側面に備えられた複数の第一横翼部を備える第一Ｕ字状接続部と、
前記第一Ｕ字状接続部から延伸した一端と、前記接続部における前記ハウジングまで延伸した他端を有する第二Ｕ字状接続部と、
前記第二Ｕ字状接続部は、前記電気ケーブルのストリップ部を内側に圧着可能とするために、両側面に備えられ、圧着を可能とする複数の第二横翼部を備える。【００１３】  本発明のさらに別の好適な実施形態において、前記上面壁は、右側半分上面壁部と左側半分上面壁部を含み、前記上面壁を形成するように、前記右側半分上面壁部と前記左側半分上面壁部は互いに連結される。【００１４】  本発明のさらに別の好適な実施形態において、前記電気リセプタクル端子は、プレス成形によって単一の金属シートを折り曲げることで形成される。【００１５】  本発明のさらに別の好適な実施形態において、前記電気リセプタクル端子が折り曲げられない際には、前記弾性接触部材における前記左側半部弾性部と前記右側半部弾性部が前記金属シートにおける同じ側に備えられる。【００１６】  上述の本発明における異なる実施形態から明らかなように、弾性接触部材は、停止部材を通じて前記ハウジングの前記上面壁に停止する。前記弾性接触部材と接続された前記停止部材は、ある程度フレキシブル性を示すので、前記弾性接触部材、および前記弾性接触部材内へ挿入された前記雄端子が、前記停止部材に沿って僅かに前後方向へ動くことが可能である。それゆえに、前記弾性接触部材と前記弾性接触部材内へ挿入された前記雄端子との間の比較的僅かな動きがなく、フレッティングコロージョンの問題を効果的に解決できる。さらに、フレッティングコロージョンの問題を解決する一方で、本発明は、フレキシブルな停止部材を採用することで簡易および低コスト構造を備える。
【図面の簡単な説明】
【００１７】
【図１】図１は、従来技術の電気リセプタクル端子を示す概略斜視図である。
【図２】図２は、従来技術の電気リセプタクル端子を示す概略斜視図である。
【図３】図３は、本発明の第一実施形態における電気リセプタクル端子を示す概略斜視図である。
【図４】図４は、図３における電気リセプタクル端子を示し、弾性接触部材が停止部材を通じてハウジング内に停止されることを説明する概略部分図である。
【図５】図５は、図３における折りたたまない状態での電気リセプタクル端子を示す概略図である。
【図６】図６は、本発明の第二実施形態における電気リセプタクル端子を示す概略斜視図である。
【考案を実施するための形態】
【００１８】  本発明の例示的な実施形態が添付の図面を参照して以下詳述される。本実施形態において、同番号の符号は同様の要素を示す。しかしながら、本発明は、本実施形態における実施形態に限られると解釈されるべきではなく、本実施形態は本発明の開示が明確かつ十分に開示され、当業者が十分に実施可能となるように提供されるものである。
【００１９】  第一実施形態：
図３から図５は、本発明の第一実施形態における電気リセプタクル端子を示している。特に図３は、本発明の第一実施形態における電気リセプタクル端子を示す概略斜視図である。図４は、図３における電気リセプタクル端子を示し、弾性接触部材が停止部材を通じてハウジング内に停止されることを説明する概略部分図である。図５は、図３における折りたたまない状態での電気リセプタクル端子を示す概略図である。
【００２０】  図３、図４および図５に示されるように、本発明の好適な実施形態によれば、明確な目的のために、直交座標系が提供される。前後方向は、電気リセプタクル端子の長手方向を示す。左右方向は、電気リセプタクル端子の横方向を示す。
【００２１】  図３、図４および図５に示されるように、本発明によれば、電気リセプタクル端子は主に接触部１００と接続部２００を含む。接触部１００は、雄端子（図示しないが一般的にはコンタクトピン）と電気的に接続されるように構成される。接続部２００は、電気ケーブルと電気的に接続されるように構成される。
【００２２】  図３に示されるように、接触部１００は、ハウジングおよび前記ハウジング内に配置された弾性接触部材１１０を含む。好適な実施形態において、ハウジングは、環状ハウジングとして、底面壁１０１、右側壁１０２、左側壁１０３および上面壁１０４を備える態様である。そのような環状ハウジングは、弾性接触部材１１０のための十分な保護を与える。
【００２３】  図３および図４に示されるように、弾性接触部材１１０は、ハウジング内に弾性接触部材１１０を停止させるための停止部材１２０を通じてハウジングの上面壁１０４に接続される。本発明によれば、弾性接触部材１１０自体に接続された停止部材１２０は、ある程度のフレキシブル性を示す。弾性接触部材１１０と弾性接触部材１１０に挿入された雄端子は、停止部材１２０に沿って前後方向に僅かに動くことができる。それゆえに、フレッティングコロージョンの問題を効果的に解決するために、弾性接触部材１１０と弾性接触部材１１０に挿入された雄端子との間の相対的な僅かな動きがない。さらに、簡易かつ低コスト構造である。
【００２４】  図３に示されるように、本発明によれば、ハウジングは、例えば、正方形や長方形などの２次元の断面を有する。しかしながら、本発明のハウジングは、本実施形態で説明される構造に限定されることなく、ハウジングの断面は、円形や他の適切な形状であってもよい。
【００２５】  図４に示されるように、本発明の好適な実施形態によれば、弾性接触部材１１０は、左側半部弾性部１１２と右側半部弾性部１１１とをさらに含む。弾性接触部材１１０は、幅が広い基部と幅が狭い挿入開口部を有し、挿入された雄端子を信頼性あるようにクランプ可能な弾性クランプとして機能する。
【００２６】  図４に示されるように、本発明の好適な一実施形態によれば、停止部材１２０は、左側半部弾性部１１２の基部に接続される。しかしながら、停止部材１２０は、右側半部弾性部１１１の基部にさらに接続されても良いことが言及されるべきである。
【００２７】  図３および図５に示されるように、本発明の好適な一実施形態によれば、左側壁１０３は、左側壁開口１０７と左側壁開口１０７内に配置された左側補助弾性部１０５を備える。左側補助弾性部１０５の後端は、左側壁開口１０７の後側面縁に接続され、左側補助弾性部１０５の前端は、ハウジング内において内側に曲げられており、かつ、弾性接触部材１１０における左側半部弾性部１０５の外壁に弾性的に突き当てられる。
【００２８】  同様に、右側壁１０２は、右側壁開口１０８と右側壁開口１０８内に配置された右側補助弾性部１０６を備える。右側補助弾性部１０６の後端は、右側壁開口１０８の後側面縁に接続され、右側補助弾性部１０６の前端は、ハウジング内において内側に曲げられており、かつ、弾性接触部材１１０における右側半部弾性部１０６の外壁に弾性的に突き当てられる。
【００２９】  それゆえ、弾性接触部材１１０と相手雄端子との間の接触強度は、ハウジングの左側壁１０３および右側壁１０２上の左側補助弾性部１０５および右側補助弾性部１０６の対とすることで増強される。
【００３０】  図３および図５に示されるように、本発明の好適な一実施形態によれば、接続部２００は、第一Ｕ字状接続部２０１を含む。好適な実施形態によれば、第一Ｕ字状接続部２０１は、両側面に備えられた一対の第一横翼部を備える。使用の際において、第一横翼部は内側へ圧着可能であり、電気ケーブルをしっかりと保持するために、電気ケーブルの被覆が圧着可能となる。
【００３１】  図３および図５に示されるように、本発明の好適な一実施形態によれば、接続部２００は、第二Ｕ字状接続部２０２を含む。第二Ｕ字状接続部２０２は、第一Ｕ字状接続部２０１に接続可能な後端と、接触部１００に接続可能な前端を含む。さらに、同様に、第二Ｕ字状接続部２０２は、両側面に備えられた一対の第一横翼部を備える。使用の際において、第二横翼部は内側へ圧着可能であり、電気ケーブルをしっかりと保持するために、電気ケーブルの被覆が圧着可能となる。
【００３２】  図５に示されるように、本発明の好適な一実施形態によれば、電気リセプタクル端子の全体は、図５に示される金属シート全体を折り曲げることで形成される。図３における弾性接触部材１１０は、図５に示された破線で示される折り曲げ線に沿って金属シートを折り曲げることで成型される。
【００３３】  図３および図５に示されるように、弾性接触部材１１０の全体は、単一の金属シートを折り曲げることで形成される。上面壁１０４は、右側半分上面壁部１０４ａと左側半分上面壁部１０４ｂを含む。上面壁１０４を形成するように、右側半分上面壁部１０４ａと左側半分上面壁部１０４ｂは互いに連結される。
【００３４】  本発明の好適な一実施形態によれば、図３における電気リセプタクル端子は、プレス成型によって図５における単一の金属シートを折り曲げることで成型される。
【００３５】  図５に示されるように、本発明の好適な一実施形態によれば、図３における電気リセプタクル端子は、図５では折り曲げられない状態である。弾性接触部材１１０における右側半部弾性部１１１と左側半部弾性部１１２は、金属シートにおける同じ側（すなわち、両方ともシートの右側面）に備えられる。
【００３６】  第二実施形態：
図６は、本発明の第二実施形態における電気リセプタクル端子を示す図である。特に図６は、本発明の第二実施形態における電気リセプタクル端子を示す概略斜視図である。
【００３７】  第一実施形態の電気リセプタクル端子と比較して、本発明の第二実施形態における電気リセプタクル端子は、第一実施形態の電気リセプタクル端子の左側壁１０３、右側壁１０４上のそれぞれの左側補助弾性部１０５、右側補助弾性部１０６が取り除かれている。対応して、第一実施形態の電気リセプタクル端子の左側壁１０３、右側壁１０４にある左側壁開口１０７、右側壁開口１０８が取り除かれている。
【００３８】  本発明の好適な実施形態が例示的な目的において開示されたが、添付の特許請求の範囲に開示された発明の範囲および目的を逸脱しない限り、当業者であれば様々な変更、付加、置換を行うことが可能である。
【符号の説明】
【００３９】１００・・・接触部
１０１・・・底面壁
１０２・・・右側壁
１０３・・・左側壁
１０４・・・上面壁
１０４ａ・・・右側半分上面壁部
１０４ｂ・・・左側半分上面壁部
１０５・・・左側補助弾性部
１０６・・・右側補助弾性部
１０７・・・左側壁開口
１０８・・・右側壁開口
１１０・・・弾性接触部材
１１１・・・右側半部弾性部
１１２・・・左側半部弾性部
１２０・・・停止部材
２００・・・接続部
２０１・・・第一Ｕ字状接続部
２０２・・・第二Ｕ字状接続部
【図１】
0003181128.tif 000003
【図２】
0003181128.tif 000004
【図３】
0003181128.tif 000005
【図４】
0003181128.tif 000006
【図５】
0003181128.tif 000007
【図６】
0003181128.tif 000008
【手続補正書】
【提出日】平成24年9月6日(2012.9.6)
【手続補正１】
【補正対象書類名】実用新案登録請求の範囲
【補正対象項目名】全文
【補正方法】変更
【補正の内容】
【実用新案登録請求の範囲】
【請求項１】
雄端子と電気的に接続されるように構成される接触部（１００）と、
電気ケーブルと電気的に接続されるように構成される接続部（２００）と、を含む電気リセプタクル端子であって、
底面壁（１０１）、右側壁（１０２）、左側壁（１０３）および上面壁（１０４）を備えるハウジングと、
前記ハウジング内に配置され、停止部材（１２０）を通じて前記ハウジングの前記上面壁に接続される弾性接触部材（１１０）を含み、
前記弾性接触部材は、右側半部弾性部（１１１）と左側半部弾性部（１１２）を含み、かつ、前記電気リセプタクル端子の横方向において互いに間隙で隔てられた前端部を備える電気リセプタクル端子。
【請求項２】
前記ハウジングの断面は、正方形、直方形または円形である請求項１記載の電気リセプタクル端子。
【請求項３】
前記上面壁は、右側半分上面壁部（１０４ａ）と左側半分上面壁部（１０４ｂ）を含み
前記上面壁を形成するように、前記右側半分上面壁部と前記左側半分上面壁部は互いに連結される請求項１記載の電気リセプタクル端子。
【請求項４】
前記電気リセプタクル端子が折り曲げられない際には、前記右側半分上面壁部と前記左側半分上面壁部は、それぞれ前記右側壁および前記左側壁から延伸する請求項３記載の電気リセプタクル端子。
【請求項５】
前記右側半部弾性部と前記左側半部弾性部はそれぞれ基部を備え、
前記停止部材は、前記左側半部弾性部と前記右側半部弾性部の基部の一方と接続される請求項１記載の電気リセプタクル端子。
【請求項６】
前記左側壁は、左側壁開口（１０７）と前記左側壁開口内に配置された左側補助弾性部（１０５）を備え、
前記左側補助弾性部の一端は、前記左側壁開口の側面縁に接続され、
前記左側補助弾性部の他端は、前記ハウジング内において内側に曲げられており、かつ、前記弾性接触部材における前記左側半部弾性部の外壁に弾性的に突き当てられ、
前記右側壁は、右側壁開口（１０８）と前記右側壁開口内に配置された右側補助弾性部（１０６）を備え、
前記右側補助弾性部の一端は、前記右側壁開口の側面縁に接続され、
前記右側補助弾性部の他端は、前記ハウジング内において内側に曲げられており、かつ、前記弾性接触部材における前記右側半部弾性部の外壁に弾性的に突き当てられる請求項１記載の電気リセプタクル端子。
【請求項７】
前記接続部は、
前記電気ケーブルの被覆を内側に圧着可能とするために、両側面に備えられた複数の第一横翼部を備える第一Ｕ字状接続部（２０１）と、
前記第一Ｕ字状接続部から延伸した一端と、前記接続部における前記ハウジングまで延伸した他端を有する第二Ｕ字状接続部（２０２）と、
前記第二Ｕ字状接続部は、前記電気ケーブルのストリップ部を内側に圧着可能とするために、両側面に備えられ、圧着を可能とする複数の第二横翼部を備える請求項１記載の電気リセプタクル端子。
【請求項８】
前記電気リセプタクル端子は、単一の打ち抜かれた金属シートを折り曲げることで形成される請求項１から７のいずれか１項記載の電気リセプタクル端子。
【請求項９】
前記電気リセプタクル端子が折り曲げられない際には、前記弾性接触部材における前記左側半部弾性部と前記右側半部弾性部が前記金属シートにおける同じ側に備えられ、かつ、前記停止部材から反対方向へ延伸する請求項８記載の電気リセプタクル端子。
【請求項１０】
前記電気リセプタクル端子が折り曲げられない際には、前記弾性接触部材における前記左側半部弾性部と前記右側半部弾性部が電気リセプタクル端子の長手方向で互いに整合する請求項８記載の電気リセプタクル端子。